(57)【要約】【課題】設備全体の不作動がなくなり高い信頼性が得られると共に、起動ガスやその起動ガスボンベが不要になって設備コストのダウンが図れるガス消火設備の容器弁自動開放システムを得る。【解決手段】少なくとも３本のガスボンベ１が放出集合管３により接続され、かつ各ガスボンベ１にある全容器弁２のうちの少なくとも２個には，作動切軸を動作させる手段として電磁駆動されるガス発生器と手動操作されるアクチュエーターと起動ガスの働きをさせるためのガスの導入口とを有する弁開放器Ａ８を取り付け、残りのものには手動操作されるアクチュエーターと起動ガスの働きをさせるためのガスの導入口とを有する弁開放器Ｂ１５を取り付けると共に、弁開放器Ａ８にはガス発生器から放出されるガス圧を環状内面側に受けてその環状外面側で前記ガス導入口を閉鎖する環状浮動体を設けてなる。【選択図】　　　　図１
2004081719.tif 000002
【特許請求の範囲】
【請求項１】
少なくとも３本のガスボンベが放出集合管により接続され、かつ前記各ガスボンベにある全容器弁のうちの少なくとも２個には，作動切軸を動作させる手段として電磁駆動されるガス発生器と手動操作されるアクチュエーターと起動ガスの働きをさせるためのガスの導入口とを有する弁開放器Ａを取り付け、残りのものには手動操作されるアクチュエーターと起動ガスの働きをさせるためのガスの導入口とを有する弁開放器Ｂを取り付けると共に、前記弁開放器Ａにはガス発生器から放出されるガス圧を環状内面側に受けてその環状外面側で前記ガス導入口を閉鎖する環状浮動体を設けたことを特徴とするガス消火設備の容器弁自動開放システム。
【発明の詳細な説明】
【０００１】
【発明の属する技術分野】
この発明は、少なくとも３本のガスボンベが放出集合管により接続されるガス消火設備の容器弁自動開放システムに関するものである。
【０００２】
【発明が解決しようとする課題】
この種のガス消火設備では、各ガスボンベの全容器弁にそれぞれガス発生器を設けて、個々のガスボンベにおいてガス発生器の起動により容器弁をそれぞれ個々に開放しているので、ガスボンベの数（ガス消火設備では通常３０本位）に相当する数のガス発生器が必要になって設備コストがアップするし、その上壊れたガス発生器があるとそのガスボンベでは弁開放しないという問題点がある。
【０００３】
そこで、従来では、かかる点に鑑み設備コストを下げるためにガス発生器を設備全体として１個とし、この１個のガス発生器で起動ガスを放出しこの起動ガスでアクチュエーターを作動して弁開放すると共に他もこの起動ガスで順次アクチュエーターを連動して作動し弁開放するようにしている。このようにすると、新たに起動ガスやその起動ガスボンベが必要になって設備コストのダウンが図れないだけでなく、唯一のガス発生器が壊れたり，起動ガスボンベが空のときには弁開放せず、設備全体が不作動になるという問題点がある。
【０００４】
【課題を解決するための手段】
この発明に係るガス消火設備の容器弁自動開放システムはかかる問題点を解消するためになされたもので、各ガスボンベにある全容器弁のうちの少なくとも２個に弁開放器Ａを設けることにより、そのうちの１個のガス発生器が作動すれば全ガスボンベの弁開放が可能になって設備全体の不作動がなくなり高い信頼性が得られると共に、起動ガスやその起動ガスボンベが不要になって設備コストのダウンが図れる。
【０００５】
【発明の実施の形態】
この発明の一実施の形態を図１〜図３について説明する。図１はガス消火設備を示す概略図、図２は図１の弁開放器Ａを示す縦断側面図、図３は図１の弁開放器Ｂを示す縦断側面図である。
【０００６】
図において、１は３０本ほどのガスボンベ、２は各ガスボンベ１にそれぞれ装備した容器弁、３は全容器弁２の各ガス吐出口が連結管４によりそれぞれ接続される放出集合管、５は放出集合管３の先に連設されて消火対象区域６にノズル７を配備する配管、８は全容器弁２のうちの２個の各作動封板９側にそれぞれ装備した弁開放器Ａで、内装の作動切軸１０を動作させる手段として，電磁駆動されるガス発生器１１と手動操作されるアクチュエーター１２と起動ガスの働きをさせるためのガスの導入口１３とを有すると共に、ガス発生器１１から放出されるガス圧を環状内面１４ａ側に受けてその環状外面１４ｂ側で導入口１３を閉鎖する環状浮動体１４を内装している。
【０００７】
さらに、１５は全容器弁２のうちの残りのものの各作動封板９側にそれぞれ装備した弁開放器Ｂで、内装の作動切軸１０を動作させる手段として，手動操作されるアクチュエーター１２と起動ガスの働きをさせるためのガスの導入口１３とを有している。なお、図中１６は導入口１３と放出集合管３とをそれぞれ連通するための連通管である。
【０００８】
今、消火対象区域６の火災を知らせる信号が２個の弁開放器Ａ８の各ガス発生器１１にそれぞれ入り、ガス発生器１１のガスにより作動切軸１０が作動して作動封板９が破られると、２個の容器弁２内のエアが抜けてそれぞれ弁開放するので、２本のガスボンベ１内のガスが容器弁２から連結管４を通って放出集合管３にそれぞれ入り、そのまま配管５を通ってノズル７から消火対象区域６に放出される。
【０００９】
その際、他の２８本のガスボンベ１においても、放出集合管３内のガスが連通管１６を通って各弁開放器Ｂ１５の導入口１３から弁開放器Ｂ１５内にそれぞれ入り、そのまま作動切軸１０をそれぞれ作動させるので、同様にして作動封板９が破られ各容器弁２内のエアが抜けてそれぞれ弁開放し、２８本のガスボンベ１内のガスが容器弁２から連結管４を通って放出集合管３に一斉に放出される。
【００１０】
前記においてガス発生器１１からのガスが弁開放器Ａ８内にかかるときに、このガスにより環状浮動体１４が外周方向に加圧されて導入口１３が閉鎖されるので、ガス発生器１１のガス圧は作動切軸１０に正常に働くことになる。
【００１１】
このように２個の弁開放器Ａ８を２本のガスボンベ１の各容器弁２にそれぞれ装備しておくと、ガス発生器１１が２個となるので、火災信号がそれぞれに入ったときにいずれか一方のガス発生器１１が作動すれば、例え一方が作動しなくても、全ガスボンベ１のガスを一斉に放出できるので、設備全体としての不作動がなくなる。
【００１２】
また、このように多数のガスボンベ１がある場合に、ガス発生器１１を備えた高価な弁開放器Ａ８が２個ですみ、他の２８個はガス発生器１１のない比較的安いものでまかなえるので、設備コストのダウンが図れる。
【００１３】
【発明の効果】
以上のように、この発明によれば各ガスボンベにある全容器弁のうちの少なくとも２個に弁開放器Ａを設けることにより、そのうちの１個のガス発生器が作動すれば全ガスボンベの弁開放が可能になって設備全体の不作動がなくなり高い信頼性が得られると共に、起動ガスやその起動ガスボンベが不要になって設備コストのダウンが図れるという効果が得られる。
【図面の簡単な説明】
【図１】この発明の一実施の形態を示すガス消火設備の概略図である。
【図２】図１の弁開放器Ａを示す縦断側面図である。
【図３】図１の弁開放器Ｂを示す縦断側面図である。
【符号の説明】
１　　ガスボンベ
２　　容器弁
３　　放出集合管
７　　ノズル
８　　弁開放器Ａ
９　　作動封板
１０　作動切軸
１１　ガス発生器
１２　アクチュエーター
１３　導入口
１４　環状浮動体
１５　弁開放器Ｂ
【図１】
2004081719.tif 000003
【図２】
2004081719.tif 000004
【図３】
2004081719.tif 000005